(57)【要約】      （修正有）【課題】長時間続く火災、津波、および放射線に対応可能なシェルターに用いる防災扉を提供すること。【解決手段】防災扉１は、火災の際に、火炎熱を断熱するとともに、津波の波力に耐え、さらに放射線遮蔽性能を具備するものであり、防災扉１を地下シェルター１００に用いることで、津波、津波火災、火災、放射能被害等のほとんどの災害に対して避難可能となり、防災扉１は、枠体５０と、上方に回動可能に支持された外扉５５と内扉５６を備えていて、外扉５５は厚さ１０ｃｍ〜３０ｃｍの鋼とコンクリートの複合構造体であり、内扉は鉛板を鋼板で挟持した構造体であり、また、枠体５０と、外扉５５と、内扉５６が協働して設ける貯水空間７５に水を供給する給水装置３、供給された水を外部に排出する排水装置４を備え、さらに、外扉５５を回動する滑車装置２を備え、内扉５６は回動同期装置により外扉５５と同期して回動する。【選択図】図１
2019218698.tif 000002
【特許請求の範囲】
【請求項１】
地下シェルターに配設される防災扉であって、
開口部が設けられた枠体と、
前記枠体に、上方に向かって回動するように支持された前記開口部を開閉する外扉と、
前記外扉の下方に設けられて、前記枠体に、上方に向かって回動するように支持された前記開口部を開閉する内扉と、
前記枠体と、前記外扉と、前記内扉とが協働して設ける貯水空間に、水を供給する給水装置と、
前記貯水空間に供給された水を排出するための排水装置と、を備えることを特徴とする防災扉。
【請求項２】
前記外扉は、鋼とコンクリートの複合構造体であることを特徴とする請求項1に記載の防災扉。
【請求項３】
前記外扉の厚さは、１０ｃｍ〜３０ｃｍであることを特徴とする請求項２に記載の防災扉。
【請求項４】
前記内扉は鋼製であることを特徴とする請求項１〜３のいずれか１項に記載の防災扉。
【請求項５】
前記内扉は、鉛板を鋼板で挟持した複合構造体であることを特徴とする請求項１〜３のいずれか１項に記載の防災扉。
【請求項６】
前記外扉と、前記内扉は、どちらか一方の扉が回動したとき、他方の扉を同方向に回動させるための回動同期装置を備えることを特徴とする請求項１〜５に記載の防災扉。
【請求項７】
前記回動同期装置は、前記内扉をロックしたとき、前記地下シェルターの内側から前記外扉をロックできることを特徴とする請求項６に記載の防災扉。
【請求項８】
前記開口部を開閉するための滑車装置を備えることを特徴とする請求項１〜７のいずれか１項に記載の防災扉。
【請求項９】
前記滑車装置は、扉ワイヤーと、支柱に軸支される扉シーブと、扉ウインチとを有し、前記扉ワイヤーは前記外扉に接続されて、前記扉シーブを経由して、前記扉ウインチに接続されることを特徴とする請求項８に記載の防災扉。
【請求項１０】
前記滑車装置は、前記支柱に固定されるスライド板と、外扉に軸支されるとともに、前記スライド板にスライド自在に固定される回動棒と、を有し、前記扉ワイヤーは、前記回動棒を介して、前記外扉に接続されることを特徴とする請求項９に記載の防災扉。
【請求項１１】
前記滑車装置は、カウンターウエイトを有し、前記扉ワイヤーは、前記シーブを経由し、カウンターウエイトを介して前記扉ウインチに接続されることを特徴とする請求項９または１０に記載の防災扉。
【請求項１２】
前記外扉の上方にリフト装置が設けられることを特徴とする請求項１〜１１のいずれか１項に記載の防災扉。
【発明の詳細な説明】
【技術分野】
【０００１】
本発明は、外扉と内扉が上方に回動する２層構造のシェルター用防災扉に関する。
【背景技術】
【０００２】
関東大震災や阪神・淡路大震災では、地震に起因する火災、いわゆる地震火災が同時多発的に発生し甚大な被害をもたらした。地震火災は、本震直後から出火し、その件数は建物倒壊数に比例して増大するとされる。また、消防力の分散、建築倒壊や道路損壊による交通障害の発生、消火栓や水道管の破損による水利不足、交通渋滞などの要因が複合して消火活動が阻害されることから、延焼範囲は拡大し、鎮火するまでの時間は長引くことになる。東日本大震災では、過去最大級の津波・津波火災が発生したことによって、多くの尊い人命が失われた。
【０００３】
今後発生が予想される大都市直下地震では、すでに都市の近代化が進み十分な対策が取られていることから、関東大震災や阪神・淡路大震災のように甚大な被害をもたらさないとも考えられる。しかし、大都市においても、現時点で木造住宅密集地は多数存在し、しかも関東大震災当時と比べ過密な状態となっている。
【０００４】
木造密集地域で発生する地震火災は延焼速度が早く、かつ同時多発的に巨大な火炎が迫る危険があるため、逃げ遅れないために早期に避難することが重要である。しかし、安全な場所に避難しようとしても、道路は避難する人々で前に進めない事態が想定される。仮に、前に進めたとしても倒壊した家屋によって道路が塞がれ、さらに橋梁の倒壊等によって避難路が確保できない事態も予想される。
【０００５】
２０１３年の内閣府発表では、近々に発生が予測される「南海トラフ巨大地震」での死亡予想者数は、２００３年の中央防災会議の想定と比べて１３倍と大幅に増加している。このうち津波による死者は全体の７割を占めている。
【０００６】
さらに、近年の緊迫した国際情勢に鑑みると、地震等の災害のみならず、放射能被爆被害に対応可能な性能を具備するシェルターが求められる。スイス、イスラエルでは核シェルターの普及率は１００％であるが、日本ではわずか０．０２％に過ぎない。日本においても有事に対応可能な核シェルターの普及が必要である。
【０００７】
このような状況に鑑みると、長時間続く火災、津波、および放射線に対応可能なシェルターが求められる。しかしながら、これらの全てに対応可能なシェルターは開発されていないのが現状である。開発を阻害する要因として、これらの全てに対応可能な扉の開発がなされていないことが挙げられる。
【先行技術文献】
【特許文献】
【０００８】
【特許文献１】特開２０１５−０２０６０３号公報
【特許文献２】特開２０１３−０１５７９６号公報
【特許文献３】特開２０１３−１６００３７号公報
【発明の概要】
【発明が解決しようとする課題】
【０００９】
本発明の課題は、長時間続く火災、津波、および放射線に対応可能なシェルターに用いる防災扉を提供することである。
【課題を解決するための手段】
【００１０】
本発明は、上記課題を解決するための地下シェルターに配設される防災扉であって、開口部が設けられた枠体と、枠体に、上方に向かって回動するように支持された開口部を開閉する外扉と、外扉の下方に設けられて、枠体に、上方に向かって回動するように支持された開口部を開閉する内扉と、枠体と、外扉と、内扉が協働して設ける貯水空間に、水を供給する給水装置と、貯水空間に供給された水を排出するための排水装置を備えることを特徴とする。
【００１１】
この構成によれば、火炎熱をシェルターの内部に伝え易い扉の部分を、外扉と内扉の二重構造としている。さらに外扉と、内扉等が協働して設ける貯水空間に水が充填可能となるので、高い断熱性能を具備する。また、貯水空間には中性子遮蔽性能を具備する水が充填されているので、放射線を遮蔽する扉として用いることもできる。また、水は扉内にあらかじめ充填されるのではなく、貯水空間に充填されるので、扉の軽量化を図ることができる。
【００１２】
好ましくは、外扉は、鋼とコンクリートの複合構造体である。
この構成によれば、外扉は、鋼とコンクリートの複合構造体であるので、外力に対して、高い耐荷重性能を具備する。
【００１３】
好ましくは、外扉の厚さは、１０ｃｍ〜３０ｃｍである。
【００１４】
この構成によれば、鋼とコンクリートの複合構造体で構成される外扉の厚さは、１０ｃｍ〜３０ｃｍであるので、所定の放射線遮蔽性能を具備する。
【００１５】
好ましくは、内扉は鋼製である。
【００１６】
この構成によれば、内扉は高い剛性と強度を具備する鋼製であるので、薄い鋼板で内扉を設けることができる。
【００１７】
好ましくは、内扉は、鉛板を鋼板で挟持した複合構造体である。
【００１８】
この構成によれば、内扉は高い放射線遮蔽性能を具備する鉛板を、高い剛性と強度を具備する鋼板で挟持しているので、高い放射線遮蔽性能を具備するとともに、高い強度を具備する。
【００１９】
好ましくは、外扉と、内扉は、どちらか一方の扉が回動したとき、他方の扉を同方向に回動させるための回動同期装置を備える。
【００２０】
この構成によれば、外扉と、内扉は、どちらか一方の扉が回動したとき、他方の扉を同方向に回動させるための回動同期装置を備えるので、外扉と内扉のそれぞれを個別に回動することなく、容易に外扉および内扉を回動することができる。
【００２１】
好ましくは、回動同期装置は、内扉をロックしたとき、地下シェルターの内側から外扉をロックできる。
【００２２】
この構成によれば、地下シェルターの内側から容易に外扉をロックできる。
【００２３】
好ましくは、開口部を開閉するための滑車装置を備える。
【００２４】
この構成によれば、開口部を開閉するための滑車装置を備えるので、滑車装置を用いて外扉および内扉を開閉することができる。
【００２５】
好ましくは、滑車装置は、扉ワイヤーと、支柱に軸支される扉シーブと、扉ウインチとを有し、扉ワイヤーは外扉に接続されて、扉シーブを経由して、扉ウインチに接続される。
【００２６】
この構成によれば、定滑車を用いて扉ウインチで扉ワイヤーを巻き上げ、巻き戻しをすることで容易に外扉および内扉を開閉できる。
【００２７】
好ましくは、滑車装置は、支柱に固定されるスライド板と、外扉に軸支されるとともに、スライド板にスライド自在に固定される回動棒を有し、扉ワイヤーは、回動棒を介して、外扉に接続される。
【００２８】
この構成によれば、滑車装置は、支柱に固定されるスライド板と、外扉に軸支されるとともに、スライド板にスライド自在に固定される回動棒を有し、扉ワイヤーは、回動棒を介して、外扉に接続されるので、安定して外扉および内扉を開閉することができる。
【００２９】
好ましくは、滑車装置は、カウンターウエイトを有し、扉ワイヤーは、シーブを経由し、カウンターウエイトを介して扉ウインチに接続される。
【００３０】
この構成によれば、滑車装置は、カウンターウエイトを有し、扉ワイヤーは、シーブを経由し、カウンターウエイトを介して扉ウインチに接続されるので、低いトルクで扉ワイヤーの巻き上げ、巻き戻しができる。
【００３１】
好ましくは、外扉の上方にリフト装置が設けられる。
【００３２】
この構成によれば、障害者、老人、子供等の弱者が迅速にシェルターに避難することができる。
【図面の簡単な説明】
【００３３】
【図１】防災扉の概略正面断面図（滑車装置等一部は正面図）である。
【図２】外扉、内扉および滑車装置の部分平面模式図である。
【図３】外扉および内扉の部分正面断面図である。
【図４】扉シーブの支柱への取付け状態を説明する平面図である。
【図５】支柱の側面図である。
【図６】外枠の概略斜視図である。
【図７】封止板の概略斜視図である。
【発明を実施するための形態】
【００３４】
本発明の実施形態について、図面を参照して説明する。
【００３５】
防災扉１は、火災の際に、火炎熱を断熱するとともに、津波の波力に耐え、さらに放射線遮蔽性能を具備するものである。防災扉１を地下シェルター１００に用いることで、津波、津波火災、火災、放射能被害等のほとんどの災害に対して避難可能となる。図１に示す通り、防災扉１は、枠体５０と、外扉５５と、内扉５６と、滑車装置２と、リフト装置８を備える。また、貯水空間７５に給水するための給水装置３と、貯留された水を排水するための排水装置４を備える。さらに、図３のみに示す回動同期装置７を備える。
【００３６】
図１に示す通り、地中１４０に埋設された地下シェルター１００は、天井板１１０と側壁１１１と床１１４を有して、これらが協働して避難空間１２０が設けられている。天井板１１０、側壁１１１の避難空間１２０側には断熱材１１２が張り付けられている。天井板１１０には、天井開口部１１３が設けられている。ここで、地下シェルター１００とは、避難空間１２０が、地中１４０に設けられているシェルターをいう。
【００３７】
図１、２に示す通り、天井板１１０の上面に、枠体開口部５９が設けられた枠体５０が配設されている。枠体５０は、枠本体５２を有し、さらに枠本体５２の下端部から枠体開口部５９の方向に水平に延びる封止板５２ａを有している。枠体５０は、正面断面視で階段状の形状であり、階段の上段に外扉５５が、下段に内扉５６が配設されている。
【００３８】
図２、３に示す通り、平面視で矩形の外扉５５は、鋼製の外枠５５ａと、コンクリート製の充填体５５ｂを有する鋼とコンクリートの複合構造体であり、上方に回動できるように、２個の丁番５７を介して枠本体５２に支持されている。枠本体５２の階段状の踏み面に該当する面５５ｅに、外扉５５との隙間を塞ぐためのパッキン５５ｃが配設されている。
【００３９】
図６に示す通り、外枠５５ａは底版５５０ａと、底版５５０ａの外縁から垂直に延びる側板５５０ｂで構成された構造体であり、底版５５０ａと、側板５５０ｂが協働して上方に開口する開口凹部５５０ｃを設ける。充填体５５ｂは、この上方に開口する開口凹部５５０ｃにコンクリートを隙間なく充填することで構築される。鋼とコンクリートの複合体とすることで、津波の波力や、津波による漂流物の衝突に耐えることができる。外扉５５の厚さは１０ｃｍ〜３０ｃｍとすることが好ましい。これにより、目標とする放射線遮蔽性能を具備する。また、外扉５５として、鋼製の箱の中にコンクリートを充填した構造体としてもよい。本実施形態の外扉５５に比べ、高強度化を図ることができる。
【００４０】
平面視で矩形の内扉５６は、図３に示す通り、鉛製のコア板５６ｂの両面を鋼製の挟持板５６ａで挟持した複合構造体であり、上方に回動できるように、２つの丁番５８を介して枠本体５２に支持されている。高い放射線遮蔽性能を具備する鉛製のコア板５６ｂの両面を高強度・高剛性の鋼製の挟持板５６ａで挟持することで、内扉５６は、高い放射線遮蔽性能を具備するとともに、所定の強度を有する。また、内扉５６は鋼板のみで構成してもよい。外扉５５の構成および厚さ、並びに内扉５６の構成等については、目標とする放射線遮蔽性能、作用する外力等の諸条件を考慮して適宜・適切に定める。
【００４１】
図７に示す通り、封止板５２ａは中央部に矩形の空間５２０が設けられた矩形の板状の構造体であり、環状先端部５２ｂが枠本体５２の下端部から枠体開口部５９の方向に水平に延びた状態で枠本体５２に設けられている。環状先端部５２ｂに、内扉５６との隙間を塞ぐためのパッキン５６ｃが配設されている。
【００４２】
図３に示す通り、回動縁５５ｄ側の端部の下側に２組のカムロック７１が配設されている。カムロック軸体７１ａの一方の端部に突起部７１ｂが設けられ、他方の端部には、垂直に延びるレバー７１ｄが設けられている。カムロック軸体７１ａは、回動端部（回動縁５５ｄ側の端部）の下側に固定された２個の支持部材７１ｃに回転自在に、かつスライド自在に支持されている。レバー７１ｄを、回動縁５５ｄの方向にスライドさせ、回転することで突起部７１ｂは封止板５２ａを押圧する。これにより、内扉５６は、ロックされる。また、レバー７１ｄを回転して押圧状態を解き、丁番５８側にスライドさせることで、内扉５６を回動することができる。
【００４３】
回動同期装置７は、ナット筒７３と、緊張ボルト７４と、緊張ワイヤー７２を有している。図３に示す通り、ナット筒７３は、緊張ボルト７４を螺着した状態で、内扉５６の両面に突設して設けられている。緊張ボルト７４は、緊張ワイヤー７２を介して外扉５５に接続している。緊張ワイヤー７２は、内扉５６と、外扉５５のそれぞれが、枠体開口部５９を閉鎖する状態では若干緩んだ状態となっている。内扉５６と、緊張ワイヤー７２の取り付け位置間の距離は、内扉５６と、外扉５５のそれぞれを回動したとき、拡大する。これによる張力を生じさせないためである。緊張ボルト７４を回転することで、若干緩んだ状態の緊張ワイヤー７２は緊張した状態で緊張ボルト７４と外扉５５に接続される。これにより、外扉５５を避難空間１２０側からロックできる。
【００４４】
図１に示す通り、給水装置３は、タンク３１と、給水管３２と、給水バルブ３３を有している。タンク３１は、貯水空間７５に供給する水を貯留するためのものであり、地面１５０の上面に設けられている。タンク３１の貯水容量は、貯水空間７５が満水状態となる水量より大きく設定するのが好ましい。これにより、充分な水が貯水空間７５に供給できる。タンク３１に貯留する水として、雨水を用いても良い。これにより、資源の有効活用を図ることができる。
【００４５】
給水管３２はタンク３１に貯留されている水を貯水空間７５に送水するためのものであり、一方の端部はタンク３１に、他方の端部は給水バルブ３３を経由して貯水空間７５に接続されている。給水バルブ３３は給水管３２を開閉するためのものであり、避難空間１２０内に配設されている。
【００４６】
排水装置４は、排水管４５と排水バルブ４６を有している。排水管４５は貯水空間７５に貯留されている水を排出するためのものであり、一方の端部は封止板５２ａを貫通して貯水空間７５に接続し、他方の端部は排水バルブ４６を経由して側溝（図示略）に接続されている。排水バルブ４６は排水管４５を開閉するためのものであり、避難空間１２０内に配設されている。
【００４７】
外扉５５に、４個の減圧弁７０が取り付けられている。減圧弁７０は、貯水空間７５に給水したとき、内部の空気を排出し、さらに、貯水空間７５内の水が火炎熱等で加熱されたとき、水蒸気を貯水空間７５の外に排出する。これにより、内部の圧力の上昇を抑制する。
【００４８】
図１、２に示す通り、滑車装置２は、扉ウインチ２６を作動することにより、外扉５５および内扉５６を回動するものである。
【００４９】
支柱２０は、対向する一対の支柱板２０ａ、２０ａと、支柱板２０ａの上端部を補強するための補強板２８ａ、２８ｂを有している。対向する一対の支柱板２０ａ、２０ａは、平面視で丁番５７の取付け面５２ｄに垂直な状態で、枠体５０に固定されている。
図４に示す通り軸支部材２４ａが、扉シーブ２４を軸支する状態で、一対の支柱板２０ａ、２０ａに固定されている。
【００５０】
一対の支柱板２０ａ、２０ａの枠体開口部５９側にスライド板２３が取り付けられている。図５に示す通り、スライド板２３の中央部に、上下方向に延びるスリット２３ａが設けられている。スリット２３ａは、回動棒２１を上下方向にスライドさせるためのものである。スリット２３ａの上下方向の長さは、外扉５５を所定の位置まで回動させる長さに設定されている。
【００５１】
回動棒２１の一方の端部は、外扉５５に設けられる軸支部材２２に軸支され、他方の端部はスリット２３ａに挿通されている。また、回動棒２１がスリット２３ａから抜け落ちるのを防止するためのストッパー２６ａが回動棒２１の他方の端部の先端部に取り付けられている。ストッパー２６ａには凹部２６ｂが設けられており、この凹部２６ｂに扉ワイヤー２５の一方の端部が接続されている。これにより、扉ワイヤー２５の回動棒２１からの抜け出しを防止できる。
【００５２】
扉ワイヤー２５は、扉シーブ２４を経由することで方向を転換し、下方に向かって延びカウンターウエイトＷを介して扉ウインチ２６に接続する。扉ウインチ２６は、一対の支柱板２０ａ、２０ａ間に取り付けられた支持板２７に固定されている。カウンターウエイトＷは、扉ウインチ２６の負荷を低減するためのものであり、外扉５５の重量よりも軽いことが好ましい。これにより、扉ウインチ２６を動作しない状態（カウンターウエイトＷと扉ウインチ２６間の扉ワイヤー２５が若干たるんでいる状態。）で、外扉５５は、枠体開口部５９を閉鎖した状態を保つ。
【００５３】
外扉５５が枠体開口部５９を閉鎖した状態で、扉ウインチ２６を動作すると、回動棒２１の他方の端部はスライド板２３に設けられたスリット２３ａに沿って上昇する。これに伴い、外扉５５は上方に回動する。外扉５５が上方に回動すると、若干たるんだ状態となっている緊張ワイヤー７２は、緊張する。これにより、内扉５６は追従して上方に回動する。内扉５６が追従して上方に回動するに伴い、緊張ワイヤー７２の接続点の距離（緊張ワイヤー７２の外扉５５および緊張ボルト７４の接続地点間の距離）は長くなり、外扉５５の上方への回動が拘束される事態が想定される。緊張ワイヤー７２を、接続点の最大距離長さ以上に設定することで、外扉５５の上方への回動が拘束されることは回避できる。
【００５４】
一対のロールバー６５、６５が、枠体開口部５９の外側に設けられている。それぞれのロールバー６５は棒状の曲線部材であり、一方の端部は枠本体５２に固定されて、他方の端部は支持材６６に支持されている。支持材６６は、ロールバー６５を支持し、枠本体５２に固定される単柱である。
【００５５】
ロールバー６５は、回動縁５５ｄの回動軌跡から上方、および側方に一定の距離を置いて設けられている。これにより、外扉５５を回動する際、ロールバー６５が開閉の妨げとなることはない。また、ロールバー６５の上端部にはＬＥＤ照明６５ａが配設されて、夜間に周辺を照らしている。これにより、夜間に地下シェルター１００に避難しなければならない場合でも、出入口の位置が明確に視認できるので、安全に、かつ迅速に地下シェルター１００に避難することができる。
【００５６】
リフト装置８は、天井部８８と、天井部８８を支持し枠本体５２に固定される脚部８９と、天井部８８に固定されるリフト滑車８５と、支持板２９を介して一対の支柱板２０ａ、２０ａに固定されるリフト滑車８６および滑車ウインチ４７と、フック８１と、フック８１に接続し、リフト滑車８５、８６を経由して滑車ウインチ４７に接続するリフトワイヤー８２を有している。リフト装置８は、人が乗車した車椅子を懸垂することができる強度を具備することが好ましい。滑車ウインチ４７を作動してリフトワイヤー８２を巻き上げ、巻き戻すことにより、障害者の方々を、車椅子で避難空間１２０の内外へ移動することができる。
【００５７】
ロールバー６５および天井部８８に泡ヘッド６１が取り付けられている。泡ヘッド６１は泡消火設備（図示略）で製造された泡消火水を、周辺の空気を吸い込んで泡状にして大気中に放出するためのものである。泡ヘッド６１から放出された泡消火水は火炎源を泡で覆うことによる窒息効果と、泡を構成している水による冷却効果によって火災を早期に沈静化する。泡ヘッド６１から下方に向けて泡消火水を放出することで、防災扉１の周辺の火炎源は泡に覆われる。これにより、火災を早期に鎮静化できる。
【００５８】
避難空間１２０に避難する手順について説明する。
災害の発生が予測されるとき、遠隔操作で、扉ウインチ２６を作動し、外扉５５を上方に回動する。外扉５５の上方への回動に伴い、緊張ワイヤー７２は緊張し内扉５６が外扉５５に追従して上方に回動する。これにより枠体開口部５９は開口され、避難空間１２０へ往来が可能となる。
【００５９】
枠体開口部５９から、避難空間１２０へ移動する。障害者の方々は、滑車ウインチ４７を遠隔操作で作動して、車椅子で避難空間１２０へ移動することもできる。避難空間１２０への移動が完了した後、遠隔操作で扉ウインチ２６を巻き戻し、枠体開口部５９を外扉５５および内扉５６で閉鎖する。
【００６０】
カムロック７１を回転して内扉５６をロックする。その後、緊張ボルト７４を回転して、若干緩んだ状態となっている緊張ワイヤー７２を緊張する。緊張ワイヤー７２に導入される張力によって、外扉５５はロックされる。内扉５６および外扉５５と枠体５０間の隙間はパッキン５６ｃ、５５ｃによって封止され貯水空間７５は水密状態となる。避難空間１２０に配設された給水バルブ３３を開放して水密状態となった貯水空間７５に給水する。給水過程で減圧弁７０から圧縮された空気が外部に放出され貯水空間内の圧力上昇を抑制する。比熱の大きい水を充填することで、避難空間１２０の温度上昇を抑制できる。また、火炎源で貯水空間７５に供給された水が加熱され気化する場合は、減圧弁７０から水蒸気が放出される。このときの潜熱効果により、外扉５５および内扉５６の温度上昇は抑制される。
【００６１】
避難空間１２０からの遠隔操作、またはセンサーで検知することで泡ヘッド６１から泡消火水を放出する。放出される泡消火水の泡で、火炎源を覆うことにより火災を早期に鎮静化させる。
【００６２】
災害の影響がないと認められる段階で、避難空間１２０に配設された排水バルブ４６を開放して、貯水空間７５に貯留された水を外部に排出する。その後、カムロック７１を回転してロックを解くとともに、緊張ボルト７４を回転して緊張ワイヤー７２の緊張を解き、緊張ワイヤー７２を緩める。
【００６３】
避難空間１２０からの遠隔操作で、扉ウインチ２６を巻き上げ、外扉５５および内扉５６を上方に回動する。開放された枠体開口部５９から外部に移動する。障害者の方々は、滑車ウインチ４７を遠隔操作で作動して、車椅子で避難空間１２０の外に移動する。
【産業上の利用可能性】
【００６４】
本発明に係る防災扉を、地下シェルターに用いることで放射線、地震、および火災に対応できるシェルターとすることができる。狭隘な土地に容易に設置できるので、特に、住宅密集地において、産業上の利用可能性は大である。
【符号の説明】
【００６５】
１        ：防災扉
２        ：滑車装置
３        ：給水装置
４        ：排水装置
７        ：回動同期装置
８        ：リフト装置
２０      ：支柱
２１      ：回動棒
２３      ：スライド板
２３ａ    ：スリット
２４      ：扉シーブ
２５      ：扉ワイヤー
２６      ：扉ウインチ
３１      ：タンク
３２      ：給水管
３３      ：給水バルブ
４５      ：排水管
４６      ：排水バルブ
４７      ：滑車ウインチ
５０      ：枠体
５５      ：外扉
５６      ：内扉
５９      ：枠体開口部
７２      ：緊張ワイヤー
７３      ：ナット筒
７４      ：緊張ボルト
７５      ：貯水空間
１００    ：地下シェルター
１２０    ：避難空間
Ｗ        ：カウンターウエイト
【図１】
2019218698.tif 000003
【図２】
2019218698.tif 000004
【図３】
2019218698.tif 000005
【図４】
2019218698.tif 000006
【図５】
2019218698.tif 000007
【図６】
2019218698.tif 000008
【図７】
2019218698.tif 000009
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
地下シェルターに配設される防災扉であって、
開口部が設けられた枠体と、
前記枠体に、上方に向かって回動するように支持された前記開口部を開閉する外扉と
、
前記外扉の下方に設けられて、前記枠体に、上方に向かって回動するように支持された前記開口部を開閉する内扉と、
前記枠体と、前記外扉と、前記内扉とが協働して設ける貯水空間に、水を供給する給水装置と、
前記貯水空間に供給された水を排出するための排水装置と、
前記外扉と、前記内扉は、どちらか一方の扉が回動したとき、他方の扉を同方向に回動させるための回動同期装置と、を備えることを特徴とする防災扉。
【請求項２】
前記回動同期装置は、前記内扉をロックしたとき、前記地下シェルターの内側から前記外扉をロックできることを特徴とする請求項１に記載の防災扉。
【請求項３】
前記開口部を開閉するための滑車装置を備えることを特徴とする請求項１または２に記載の防災扉。
【請求項４】
前記滑車装置は、扉ワイヤーと、支柱に軸支される扉シーブと、扉ウインチとを有し、前記扉ワイヤーは前記外扉に接続されて、前記扉シーブを経由して、前記扉ウインチに接続されることを特徴とする請求項３に記載の防災扉。
【請求項５】
前記滑車装置は、前記支柱に固定されるスライド板と、外扉に軸支されるとともに、前記スライド板にスライド自在に固定される回動棒と、を有し、前記扉ワイヤーは、前記回動棒を介して、前記外扉に接続されることを特徴とする請求項４に記載の防災扉。
【請求項６】
前記滑車装置は、カウンターウエイトを有し、前記扉ワイヤーは、前記シーブを経由し、カウンターウエイトを介して前記扉ウインチに接続されることを特徴とする請求項４または５に記載の防災扉。
【請求項７】
前記外扉の上方にリフト装置が設けられることを特徴とする請求項１〜６のいずれか１項に記載の防災扉。
【手続補正２】
【補正対象書類名】明細書
【補正対象項目名】００１０
【補正方法】変更
【補正の内容】
【００１０】
本発明は、上記課題を解決するための地下シェルターに配設される防災扉であって、開口部が設けられた枠体と、枠体に、上方に向かって回動するように支持された開口部を開閉する外扉と、外扉の下方に設けられて、枠体に、上方に向かって回動するように支持された開口部を開閉する内扉と、枠体と、外扉と、内扉が協働して設ける貯水空間に、水を供給する給水装置と、貯水空間に供給された水を排出するための排水装置と、外扉と、内扉は、どちらか一方の扉が回動したとき、他方の扉を同方向に回動させるための回動同期装置を備えることを特徴とする。
【手続補正３】
【補正対象書類名】明細書
【補正対象項目名】００１１
【補正方法】変更
【補正の内容】
【００１１】
この構成によれば、火炎熱をシェルターの内部に伝え易い扉の部分を、外扉と内扉の二重構造としている。さらに外扉と、内扉等が協働して設ける貯水空間に水が充填可能となるので、高い断熱性能を具備する。また、貯水空間には中性子遮蔽性能を具備する水が充填されているので、放射線を遮蔽する扉として用いることもできる。また、水は扉内にあらかじめ充填されるのではなく、貯水空間に充填されるので、扉の軽量化を図ることができる。
さらにこの構成によれば、外扉と、内扉は、どちらか一方の扉が回動したとき、他方の扉を同方向に回動させるための回動同期装置を備えるので、外扉と内扉のそれぞれを個別に回動することなく、容易に外扉および内扉を回動することができる。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】